(57)【要約】      （修正有）【課題】化粧品の格納用パッケージであって、ハウジングが確実に封密されるように、当該蓋により圧迫される変形可能な膜とを備えるパッケージを提供する。【解決手段】最上部に開口部２０が設けられ、ハウジング２４と境を接する容器１２と、当該容器の当該開口部を閉じるように設計された蓋１４と、当該ハウジングの気密性を確実にするように当該蓋により圧迫される変形可能な膜４８とを備える。変形可能な膜４８は、当該蓋が閉位置にある場合に、当該環状周縁部が当該容器の開口部２０を囲む環状軸受２８を漏れなく圧迫するように、かつ、当該変形可能な膜の両面に作用する圧力の差の結果として、中央壁部５０が変形するように、当該蓋の基部２０を圧迫するばね手段６８により、クロージャの軸方向に圧迫される概して堅い環状周縁部５２により囲まれている概して柔軟な中央壁部５０を備える。【選択図】図１
2013252415.tif 000002
【特許請求の範囲】
【請求項１】
製品、特に化粧品の格納用パッケージであって、最上部に開口部（２０）が設けられ、かつ、前記製品を収容するように設計されたハウジング（２４）と接する容器（１２）；前記容器の前記開口部を閉じるように設計された蓋（１４）；及び、前記蓋が閉位置にある場合、前記ハウジングの気密性が確実になるように前記蓋により圧迫される変形可能な膜（４８）とを備えるパッケージであって、前記変形可能な膜（４８）は概して堅い環状周縁部（５２）により囲まれた概して柔軟な中央壁部（５０）を備え、かつ、環状周縁部（５２）は、前記蓋が閉位置にある場合、前記環状周縁部が前記容器の開口部（２０）を囲む環状軸受（２８）を漏れなく圧迫するように、前記蓋の基部（２０）を圧迫するばね手段（７２）によりクロージャの軸方向に圧迫され、かつ、中央壁部（５０）は、前記変形可能な膜の両面に作用する圧力の差の結果として変形しうる、前記パッケージ。
【請求項２】
圧縮により作用し、かつ、クロージャの軸方向に平行に設けられる複数のらせんばね（７２）を備える、請求項１記載のパッケージ。
【請求項３】
各らせんばね（７２）は、その端部の一方に変形可能な膜（４８）の環状周縁部（５２）に設けられたピン（７４）を収容する、請求項２記載のパッケージ。
【請求項４】
前記ばね手段は、弾性的に圧縮しうるエラストマー材料からなる少なくとも１のバッファを備える、請求項１記載のパッケージ。
【請求項５】
前記環状周縁部（５２）には、シーリング接合部（６６）、具体的には、前記容器の開口部（２０）を囲む環状軸受（２８）を漏れがないように圧迫するように設計されたリップシールが設けられる請求項１〜４いずれか１項記載のパッケージ。
【請求項６】
前記変形可能な膜（４８）は、中央壁部（５０）及びシーリング接合部（６６）のための第１の概して柔軟な材料と、環状周縁部（５２）のための第２の概して堅い材料とを含む２つの材料の成形により形成される、請求項１〜５いずれか１項記載のパッケージ。
【請求項７】
前記第１の材料はエラストマーから選択され、前記第２の材料は、特に、アクリロニトリルブタジエンスチレン（ＡＢＳ）型又はスチレンアクリロニトリル（ＳＡＮ）型のスチレンポリマー及び硬質ポリマーから選択される、請求項６に記載のパッケージ。
【請求項８】
前記変形可能な膜（４８）の環状周縁部（５２）は、蓋（１４）が開位置にある場合に、ばね手段（７２）が作用している状態で、蓋（１４）に形成された第２の保持肩部（６４）に接触するように設計された第１の保持肩部（６２）を備える、請求項１〜７いずれか１項記載のパッケージ。
【請求項９】
前記変形可能な膜の中央壁部（５０）は、環状周縁部（５２）に接続された蛇腹状外縁部を備える、請求項１〜８いずれか１項記載のパッケージ。
【請求項１０】
前記蓋の閉位置において、前記変形可能な膜（４８）の中央壁部（５０）は、前記ハウジング内の圧力（Ｐ１）が前記パッケージの外部の圧力（Ｐ２）に等しい場合、前記蓋の基部（１６）から離間した静止位置にあり、かつ、前記ハウジング内の圧力（Ｐ１）が前記パッケージの外部の圧力（Ｐ２）よりも大きい場合、前記蓋の基部（１６）に接触する作用位置にある、請求項１〜９いずれか１項記載のパッケージ。
【請求項１１】
前記蓋（１４）は、変形可能な膜（４８）と共に、前記蓋を貫通して設けられた少なくとも１つの通気孔（８２）を介して外部と連通している可変容積コンパートメントと接する、請求項１〜１０いずれか１項記載のパッケージ。
【請求項１２】
前記蓋（１４）は、ヒンジ（３６）により容器（１２）に接続される、請求項１〜１１いずれか１項記載のパッケージ。
【請求項１３】
前記ヒンジ（３６）は、前記容器に設けられたリング（４０）に固定された第１のヒンジ部（３８）と、前記蓋に設けられたインサート（３４）に固定された第２のヒンジ部（４２）とを備える、請求項１２に記載のパッケージ。
【請求項１４】
前記容器（１２）は、前記製品を収容するためのハウジング（２４）を形成するタブ（２２）を収容し、前記タブには開口部（２０）の周りに環状軸受（２６）を形成する外側周縁部がある、請求項１〜１３いずれか１項記載のパッケージ。
【請求項１５】
前記容器（１２）には、ハウジング（２４）を塞ぐように意図された着脱可能な保護カバー（７６）が設けられる、請求項１〜１４いずれか１項記載のパッケージ。
【発明の詳細な説明】
【技術分野】
【０００１】
本発明は、製品、特に化粧品のパッケージに関する。
【０００２】
本発明は、より具体的には、製品、特に化粧品の格納用パッケージであって、上方部に開口部が設けられかつ当該製品を収容するためのハウジングと接する容器、当該容器の当該開口部を閉じるように設計された蓋、及び当該蓋が閉位置にある場合に当該ハウジングが確実に封密されるように、当該蓋により圧迫される変形可能な膜とを備えるパッケージに関する。
【背景技術】
【０００３】
当該パッケージは「容器」としても知られ、主に、揮発性成分を含有する製品のパッケージ、特に化粧品、薬剤及び同様の製剤のパッケージに用いられる。
【０００４】
当該製品は、外部周囲環境との交換による重量の目減りを避けるため、最適な気密性条件で保持されなければならない。
【０００５】
実際、天候の変化又は移動による空気圧の変化により、例えば、航空機の貨物室で運搬される場合、当該パッケージの内部と外部との間に空気圧の差が生じる。
【０００６】
気密性が不完全な漏れの場合、その圧力差は、周囲環境との交換による当該製品の湿度平衡に戻り、重量が損失する傾向がある。
【０００７】
蓋が当該容器にねじ込まれるか又はヒンジにより当該蓋に関節接合される上記タイプのパッケージが知られている。しかし、上記の要件を完全に満たしうる当該タイプのパッケージは知られていない。一般に、気密性は半径方向に力が作用する結合部により確実となり、多くの場合、ねじ式蓋の場合には頑丈なねじ結合、又は、当該蓋が蝶着される場合にはかなりの閉鎖力を要する。従って、当該パッケージは、当該蓋を開閉する場合、ユーザには操作しにくい。
【発明の概要】
【発明が解決しようとする課題】
【０００８】
本発明の目的は、特に、ユーザが満足のいくやり方で蓋を開閉できる上記タイプのパッケージを提供することである。
【０００９】
本発明のさらなる目的は、パッケージが収容する製品の重量の目減りが少なく、幅広い温度範囲、典型的には、−１０℃〜＋５０℃にわたって気密性を確保できる上記タイプのパッケージを提供することである。
【００１０】
本発明のさらなる目的は、揮発性成分を含有する製品のパッケージ、特に、化粧品のパッケージに特に適しているパッケージを提供することである。
【００１１】
つまり、本発明は、上記製品の格納用パッケージに関する。
【課題を解決するための手段】
【００１２】
本発明では、当該変形可能な膜は概して堅い環状周縁部で囲まれた概して柔軟な中央壁部を備え、前記環状周縁部は当該蓋の基部を圧迫するばね手段によりクロージャの軸方向に圧迫される。従って、当該環状周縁部は、当該蓋がその閉位置にある場合、当該容器の開口部の周囲に設けられた環状軸受を漏れなく圧迫し、その結果、当該膜の中央壁部は、当該変形可能な膜の両面に作用する圧力の差の関数として変形しうる。
【００１３】
当該閉位置では、当該変形可能な膜の環状周縁部がばね手段によりクロージャの軸方向に弾性的に圧迫される結果として、当該蓋は当該パッケージの気密性が確実となる。当該環状周縁部は、当該ハウジング内の圧力を制限でき、当該開口部を囲む環状軸受を圧迫して、気密性のチャンバを形成する。これにより、容積の差を吸収し、かつ気密ゾーンに作用する圧力を減衰させる適応性のある結合がもたらされる。当該ばね手段は、当該容器の当該環状軸受と、当該変形可能な膜の当該環状周縁部との間の接触面の平坦性に関する欠陥を修復しうる。
【００１４】
本発明の「パッケージ」という用語は、フラスコ瓶、ポット、チューブ、ハウジング等の異なる種類のパッケージ又は容器を示すことが理解される。多くの場合、当該パッケージは、その形状が例えば、円形、卵形、楕円形、多角形等の幾何学的輪郭である円筒形壁部が取り付けられる平坦な基部を備える。当該パッケージは、当該蓋を収容する開口部を形成するように最上部が開口している。
【００１５】
従って、本発明のパッケージのばね手段は、当該容器の当該環状軸受と、当該蓋により圧迫される当該変形可能な膜の当該環状周縁部との間に形成された気密ゾーン内に、一定の圧力が確保されうる。
【００１６】
当該ばね手段は、変形を吸収し、かつ、当該パッケージ内の内部圧力に耐えうる。
【００１７】
当該ばね手段は、上記のような一定の圧力を確保すべく、適切に調整すべきである。
【００１８】
本発明は、特定種類のばね手段に限定されない。当該手段は、特に、金属ばね、合成ばね又はガススプリングとしうる。
【００１９】
本発明の好適な実施形態では、当該ばね手段は、圧縮により作用し、かつクロージャの軸方向に平行に設けられた複数のらせんばねを備える。
【００２０】
弾性的に圧縮可能なエラストマー材料を含む少なくとも１のバッファを備えるばね手段も利用しうる。
【００２１】
例えば金属又はプラスチック材料から形成された弾性ブレード等の他の解決手段も想定しうる。
【００２２】
気密性の改善を促進するため、当該容器の当該開口部を囲む環状軸受に接触して漏れなく圧迫するように設計されたシーリング接合部、特に、リップシールを当該環状周縁部に設けることが有利である。
【００２３】
当該変形可能な膜は、好ましくは、当該中央壁部及び当該シーリング接合部のための第１の概して柔軟な材料と、当該環状周縁部のための第２の概して硬い材料とを含む２つの材料の鋳造により形成される。
【００２４】
本発明では、当該変形可能な膜は当該蓋により圧迫される。当該環状周縁部の何らかの移動の遊びを制限するため、前記環状周縁部には、当該蓋が開位置にある場合に、当該ばね手段が作用している状態で当該蓋に形成された第２の保持肩部を圧迫するように設計された第１の保持肩部が設けられる。
【００２５】
従って、当該蓋が閉位置にある場合、当該環状周縁部は、当該蓋の基部に向かって下方へわずかにずらされ、気密性の達成を促進するための当該ばね手段が確実に圧縮される。対照的に、当該蓋が開位置になると、当該ばね手段は、上記２つの肩部の協働の結果として当該周縁部が圧迫するまで、当該膜の当該環状周縁部を平行移動させて、蓋を開きやすくする傾向がある。
【００２６】
当該変形可能な膜の当該中央壁部は、有利には、当該環状周縁部に接続された蛇腹状外縁部を備える。
【００２７】
当該蓋の閉位置では、当該膜の中央壁部は、当該ハウジング内の圧力が当該パッケージの外部の圧力に等しい場合、当該蓋の基部から離れた静止位置にあり、当該ハウジング内の圧力が当該パッケージの外部の圧力よりも大きい場合、当該蓋の基部に接触する作動位置にある。
【００２８】
本発明の他の特徴では、当該蓋は、当該変形可能な膜と共に当該蓋を貫通して設けられた少なくとも１の通気孔を介して外部と連通している可変容積コンパートメントと接する。
【００２９】
これは、当該コンパートメントを外部圧力、すなわち、大気圧になるのを促進する。
【００３０】
本発明の蓋は当該容器から完全に独立していてよい。しかし、前記蓋はヒンジで当該容器に接続されるのが好ましい。
【００３１】
このように、当該蓋を紛失し得ないだけではなく、当該ばね手段は、当該ヒンジ周りを旋回させて当該蓋が容易に開くようにする。
【００３２】
しかし、ねじ込むことにより当該容器と協働する蓋を備えることを想定しうる。
【００３３】
当該容器は、それ自体、当該製品を収容するためのハウジングを直接形成してもよい。
【００３４】
また、当該容器が、当該製品のためのハウジングを形成するタブを収容することを想定してよい。この場合、当該タブには、当該開口部の周りに当該環状周縁部を形成する外側周縁部があってよい。
【００３５】
場合により、当該タブは、製品、例えば、化粧品の性質に適合する材料から形成されるのが有利であり、当該材料は、実際の容器を形成する材料とは異なっていてよい。
【００３６】
本発明の他の特徴では、当該容器には、当該ハウジングを塞ぐように設計された着脱可能な保護カバーが設けられる。
【図面の簡単な説明】
【００３７】
単に例示として記載されている以下の詳細な説明では添付図面が参照される。
【図１】蓋が閉位置にあり、当該蓋の膜が２つの異なる位置に図示される、本発明のパッケージの概略断面図である。
【図２】倍尺で図示された図１の詳細図である。
【図３】本発明の別のパッケージに関する図１と同様の断面図である。
【図４】図３のパッケージの蓋の部材の分解斜視図である。
【発明を実施するための形態】
【００３８】
まず、製品、特に、揮発性成分を含む製品を格納するように意図されたパッケージ１０を示す図１について説明する。当該製品は、例えば、クリーム等の化粧品としうる。当該パッケージは、例えば、ポット又はチューブ形の容器１２と、図示の実施形態で、以下で詳細に説明するヒンジにより当該容器に関節接合される蓋１４とを備える。
【００３９】
当該容器は、形状が、例えば、円形、卵形、楕円形、多角形等であるように選択される輪郭の概して平らな底壁部１６を備える。底壁部には、開口部２０がある開口面をその最上部に画成すべく、側壁１８を上部に備える。図示の実施形態では、容器１２は中が空洞であり、かつパッケージングして保存する製品を収容するように意図されたハウジング２４を形成する適当な形状のタブ２２を内部に収容する。前記タブ２２には、開口部２４を囲む環状周縁部又は軸受を形成する外側周縁部２６がある。それに伴い、当該環状周縁部には、以下に記載するように当該蓋と協働するための座部を形成する平らな環状面がある。
【００４０】
図示の実施形態では、容器１２及びタブ２２は、異なる材料から形成されており、容器１２は、例えば、ポリメチルメタクリレート（ＰＭＭＡ）から形成され、また、タブ２２は、別の材料、例えば、ハウジング２４に格納される製品に適合するポリプロピレン、ポリエチレン又はポリエステルから形成される。
【００４１】
従って、このタブは、当該容器を形成する材料が、当該容器が格納する製品の性質に適合しない場合の内壁を構成しうる。
【００４２】
また、前記タブをリフィルとして用いることも想定しうる。
【００４３】
変形例（図示せず）では、容器１２は、当該製品を収容するためのハウジング２４を直接的に形成でき、この場合、タブ２２は省略される。
【００４４】
この場合、当該環状周縁部は、開口部２４の周りの当該容器の上部周縁部２８により直接形成される。それにより、当該周縁部は、蓋１４のための座部を形成する。
【００４５】
蓋１４は、わずかに凸状である場合、当該蓋の基部を形成し、かつ、当該容器の側壁１８と同じ輪郭を実質的に有する側壁３２に接続される底壁部３０を備える。
【００４６】
図示の実施形態では、蓋１４には、当該ヒンジを隠しうる環状リング状のインサート３４が内部に設けられる。
【００４７】
容器１２と蓋１４は、当該容器上に設けられたリング４０に固定される第１のヒンジ部３８と、インサート３４に固定された第２のヒンジ部４２とを備えるヒンジ３６により共に蝶着される。これら２つのヒンジ部は、旋回軸４３により共に関節接合される。
【００４８】
リング４０は、当該ヒンジの反対側に、蓋１４のフック４６と協働する止め具４４を備える。上記のように、インサート３４は、当該蓋のヒンジを隠しうる。しかし、変形例として、当該蓋に直接ヒンジ部４２を形成することも想定でき、この場合、インサート３４は省略できる。
【００４９】
当該蓋には、当該ハウジングの気密性、すなわち、図１の場合と同様に当該蓋が閉位置にある場合、当該ハウジングが格納する製品の気密性が確実となるように意図された変形可能な膜４８が内部に設けられる。
【００５０】
変形可能な膜４８は、概して堅い環状周縁部５２により囲まれる概して柔軟な中央壁部５０を備える。中央壁部５０は、当該ハウジングの内部圧力と、外部圧力、すなわち、大気圧との圧力の差の関数として、変形が容易となりうる蛇腹状外縁部５４を備える。
【００５１】
図示の実施形態では、環状周縁部５２は、基部５６と、当該蛇腹状部分に接続される内側アーム５８と、外側アーム６０（図２）とを備えた概してＵ字状断面である。アーム６０は、当該蓋に、かつ図示の実施形態では、インサート３４に直接形成される第２の保持肩部６４に接触するように設計された第１の保持肩部６２により外側に延長する。これら２つの肩部の機能は変形可能な膜４８を当該蓋内に保持すること、かつ以下に説明するような当該蓋内での移動の遊びを制限することである。
【００５２】
環状周縁部５２には柔軟な材料から形成されたシーリング接合部６６が設けられる。図示の実施形態では、当該接合部は環状周縁部５２の基部５６の下に固着されたリップシールである。接合部６６は、当該接合部のための座部を形成する当該容器の環状軸受を漏れなく圧迫するように設計されている。図示の実施形態では、当該接合部は２のリップ部により囲まれた中央コア部を備えるが、他のタイプのフレキシブル接合部も想定しうる。
【００５３】
変形可能な膜４８は、中央壁部５０及びシーリング接合部６６のための第１の概して柔軟な材料と、環状周縁部５２のための第２の概して堅い材料とを用いた二材型の射出成形により作製しうる。
【００５４】
第１の材料は、好ましくは、特にスチレン型のエラストマー、例えば、熱可塑性エラストマーから選択される。用いられる材料は、Thermolast（登録商標）K又はTefabloc（登録商標）の名称で市販される材料であるがこれらに限定されない。
【００５５】
第２の材料は、好ましくは、特に、アクリロニトリルブタジエンスチレン（ＡＢＳ）又はスチレンアクリロニトリル（ＳＡＮ）型のスチレンポリマー及び硬質ポリマーから選択される。
【００５６】
膜４８は、図示の実施形態では、一方で当該蓋の基部３０を圧迫し、他方で変形可能な膜４８の環状周縁部５２を圧迫する複数のらせんばね７２により形成された弾性手段の作用を受ける。従って、当該ばねはクロージャの軸方向に、すなわち、当該蓋が閉位置にある場合、当該蓋のシーリング接合部６６と、当該容器の環状軸受２８とにより画成される平面に概して垂直な方向に、当該変形可能な膜の環状周縁部５２を圧迫する。図示の実施形態では、当該ばねは、圧縮により作用し、かつクロージャの軸方向に平行に設けられる。
【００５７】
適当に規則的に分布した圧力を作用させるべく、通常は、少なくとも４のばねが設けられ、当該実施形態では、６のばねが図示されており、かつ当該ばねは全て環状周縁部５２の周囲に適切に離間される。この場合、ばね７２は、金属、例えば、ばね鋼から形成され、かつ適切な較正力がある。各ばねは、その端部の一つに、当該環状周縁部と共に成形されたピン７４を収容する（図２）。このように、当該ばねは当該蓋から外れず、かつ保持肩部６２、６４間の協働により環状周縁部５２を強制的に軸方向に圧迫する。
【００５８】
図１及び２に示すように、当該容器には、当該容器の開口部２０、すなわち、具体的にはタブ２２を塞ぐように設計された着脱可能な保護カバー７６が設けられる。
【００５９】
当該蓋は、環状周縁部５２の内側アーム５８に接触して前記周縁部内に嵌合するように意図された環状リブ８０により囲まれた平坦なディスク状のマスク又は装飾部材７８をさらに備える。当該マスクは当該蓋に固定されており、かつ当該膜を隠す。
【００６０】
本発明は、特定の形態のばね手段に限定されない。らせん圧縮ばね以外の手段、例えば、１つ又は複数の弾性圧縮エラストマーバッファを利用しうる。
【００６１】
当該バッファは、例えば、接着により環状周縁部５２上に配置された環状形状の連続的なバッファとすることができ、又は、離間した部材により形成しうる。
【００６２】
また、金属又はプラスチック材料からなる弾性板ばね又はガススプリングを用いうる。
【００６３】
従って、閉位置では、ばね７２により圧縮状態に保持された接合部６６により、当該蓋と当該容器との間の気密性が確実となる。当該蓋は、当該変形可能な膜と共に当該ヒンジの近傍に設けられた少なくとも１つの通気孔８２（図２）を介して外部と連通する可変容積コンパートメントと接する。従って、このコンパートメントは、外部圧力、すなわち、大気圧である。
【００６４】
変形可能な膜４８は、当該膜が装飾部材７８を圧迫する静止位置と、当該膜が当該蓋の基部３０を圧迫する作用位置との間で変位できる。当該膜の中央壁部は、当該ハウジング内の圧力Ｐ１が、当該パッケージの外部の圧力Ｐ２と等しい場合、当該蓋の基部から離間した静止位置にある。当該ハウジング内の圧力Ｐ１が当該パッケージの外部の圧力Ｐ２よりも大きい場合、当該中央壁部は当該蓋の基部に接触する作用位置にある。当該２つの位置は図１に図示され、すなわち、当該膜は、静止位置では参照番号４８を圧迫し、作用位置では参照番号４８’を圧迫する。
【００６５】
その結果、当該パッケージが減圧状態で大気中にある場合、例えば、航空機の貨物室内にある場合、大気圧Ｐ２は、当該容器のハウジング内の圧力Ｐ１より低い。この結果、当該接合部により気密性が確実となり、当該膜は当該蓋の基部を圧迫する位置に移動する傾向がある。漏れがある場合、当該接合部は当該膜の変位により元の位置に戻って圧迫される。
【００６６】
従って、−１０〜＋５０℃の通常の使用状態で気密性を確実にするには、適切に較正されたばね手段を用いれば十分である。
【００６７】
また、ばね７２により手動開閉が容易となる。当該蓋が閉まっている場合、当該ばねは圧縮されており、当該環状周縁部の保持肩部６２は、図２に示すように、当該蓋の保持肩部６４から離れている。
【００６８】
そして、ユーザが当該蓋を開ける場合、当該蓋を当該ヒンジの軸周りに旋回させうる止め具４４を押すだけでよい。すると、当該ばねは圧縮が弱まり、当該容器から戻って当該蓋を押圧することにより蓋が開きやすくなる傾向がある。
【００６９】
また、開閉の軸方向に気密性がもたらされるため、既存のパッケージと同様に半径方向に作動するシーリング手段を利用する場合と比べて、開閉に対する抵抗が小さい。
【００７０】
次に、図１のパッケージの部材のほとんどを含む他のパッケージを示す図３及び図４について説明する。共通する部材は同じ符号である。単純化するため、図３は当該パッケージの主要な部材のみを図示する。図４は当該蓋を構成する様々な部材を示す。
【００７１】
図３及び図４の実施形態では、タブ２２の基部は丸みを帯びており、かつ容器１２の底壁部１６及び側壁から離れている。また、図３から、楔インサート８４が、その受容部と当該タブとの間に挿入される。当該インサートは、有利には、圧縮性材料、例えば、エラストマーから形成される。
【００７２】
図４はさらに、６のばねがある場合を示す。当該容器に概して円筒形状の壁部がある場合、当該ばねは６０°の相互角度間隔で適切に離間させうる。
【００７３】
本発明は、記載された実施形態に限定されず、他の変形例も包含する。具体的には、当該ばね手段は、必ずしも圧縮により作用するらせんばねでなくてよい。金属又はプラスチック材料又はエラストマーから作製された他の機械ばねも用いてよい。同様に、当該容器は格納される製品を直接収容することができるため、必ずしもタブを収容するように設計しなくてよい。
【００７４】
また、上記のように、当該蓋は必ずしもヒンジにより接続しなくてよい。当該蓋は、完全に独立させることができ、及び当該容器にねじ込むことができ、及び当該蓋を回して当該容器から外すことができる。
【産業上の利用可能性】
【００７５】
本発明は特に化粧クリーム又は医薬品等の揮発性物質を含有する製品の気密パッケージに適用しうるが、これらに限定されない。
【図１】
2013252415.tif 000003
【図２】
2013252415.tif 000004
【図３】
2013252415.tif 000005
【図４】
2013252415.tif 000006
【外国語明細書】
2013252415.tif 000007
2013252415.tif 000008
2013252415.tif 000009
2013252415.tif 000010
2013252415.tif 000011
2013252415.tif 000012
2013252415.tif 000013
2013252415.tif 000014
2013252415.tif 000015
2013252415.tif 000016
2013252415.tif 000017
2013252415.tif 000018
2013252415.tif 000019
2013252415.tif 000020
2013252415.tif 000021
【図１】
2013252415.tif 000022
【図２】
2013252415.tif 000023
【図３】
2013252415.tif 000024
【図４】
2013252415.tif 000025